(57)【要約】【課題】  ＥＤＤＳインターフェイスを介してデータ信号、制御信号、クロック信号及び設定信号を埋め込み方式で伝送する表示システム及び関連するデータ伝送方法を提供する。【解決手段】  表示システムは、データ信号、制御信号、クロック信号及び設定信号を含む埋め込み信号を出力する出力装置と、第一設定信号、データ信号、制御信号及びクロック信号に基づいて動作し、第一埋め込み信号を復号して対応する駆動信号を生成する第一デコーダーを含む第一受信装置と、第二設定信号、データ信号、制御信号及びクロック信号に基づいて動作し、第二埋め込み信号を復号して対応する駆動信号を生成する第二デコーダーを含む第二受信装置と、ＥＤＤＳインターフェイスとを含む。【選択図】      図３
2007193305.tif 000002
【特許請求の範囲】
【請求項１】
ＥＤＤＳ（データライン埋め込み信号方式）インターフェイスを介してデータ信号、制御信号、クロック信号及び設定信号を埋め込み方式で伝送する表示システムであって、
データ信号、制御信号、クロック信号及び設定信号を含む埋め込み信号を出力する出力装置と、
第一設定信号、前記データ信号、前記制御信号及び前記クロック信号に基づいて動作し、且つ、第一埋め込み信号を復号して対応する駆動信号を生成する第一デコーダーを含む第一受信装置と、
第二設定信号、前記データ信号、前記制御信号及び前記クロック信号に基づいて動作し、且つ、第二埋め込み信号を復号して対応する駆動信号を生成する第二デコーダーを含む第二受信装置と、
ＥＤＤＳインターフェイスとを含み、
該ＥＤＤＳインターフェイスは、
前記出力装置から出力された前記第一埋め込み信号を前記第一受信装置に伝送する第一組の差動データラインと、
前記出力装置から出力された前記第二埋め込み信号を前記第二受信装置に伝送する第二組の差動データラインペアとを含むことを特徴とする表示システム。
【請求項２】
前記データ信号、前記制御信号、前記クロック信号及び前記設定信号を生成するタイミングコントローラーを更に含むことを特徴とする請求項１記載の表示システム。
【請求項３】
各々前記第一受信装置及び前記第二受信装置を備える複数のソースドライバーを更に含むことを特徴とする請求項１記載の表示システム。
【請求項４】
前記複数のソースドライバーに結合され、前記駆動信号に基づいて画像を表示する表示パネルを更に含むことを特徴とする請求項３記載の表示システム。
【請求項５】
前記第一デコーダー及び前記第二デコーダーは、集合型回路を用いて動作することを特徴とする請求項１記載の表示システム。
【請求項６】
マトリックス型に設けられた複数の走査ライン及び複数のデータラインを含む表示パネルと、
該表示パネルに結合され、前記複数の走査ラインを駆動する複数のゲートドライバーと、
前記表示パネルに結合され、前記複数のデータラインを駆動する複数のソースドライバーと、
少なくとも１つのデータ信号、少なくとも１つの制御信号、少なくとも１つのクロック信号及び少なくとも１つの設定信号をソースドライバーに提供するタイミングコントローラーとを含み、
前記データ信号、前記制御信号、前記クロック信号及び前記設定信号は、少なくとも１つのコンポジット信号に変換されて、少なくとも１つの差動データラインの組を介して前記タイミングコントローラーから前記ソースドライバーに送信されることを特徴とする表示システム。
【請求項７】
前記制御信号、前記クロック信号及び前記設定信号は、前記コンポジット信号を形成するよう前記データ信号に埋め込まれることを特徴とする請求項６記載の表示システム。
【請求項８】
前記ソースドライバーは、
２組の差動データラインから前記コンポジット信号を受信する少なくとも１個のレシーバーと、
前記コンポジット信号を復号する少なくとも１個のデコーダーとを含むことを特徴とする請求項６記載の表示システム。
【請求項９】
データ信号、制御信号、クロック信号及び設定信号を埋め込み方式で伝送する方法であって、
（ａ）第一制御信号、第一設定信号及びクロック信号を第一データ信号に埋め込むことにより第一コンポジット信号を生成し、
（ｂ）第二制御信号、第二設定信号及びクロック信号を第二データ信号に埋め込むことにより第二コンポジット信号を生成し、
（ｃ）前記第一コンポジット信号を第一受信装置に送信し、
（ｄ）前記第二コンポジット信号を第二受信装置に送信し、
（ｅ）前記第一コンポジット信号を復号し、
（ｆ）前記第二コンポジット信号を復号するステップを有することを特徴とする信号伝送方法。
【請求項１０】
前記ステップ（ｃ）は、前記第一コンポジット信号を第一組の差動データラインを介して前記第一受信装置に伝送するステップを含み、前記ステップ（ｄ）は、前記第二コンポジット信号を第二組の差動データラインを介して前記第二受信装置に伝送するステップを含むことを特徴とする請求項９記載の信号伝送方法。
【請求項１１】
前記ステップ（ｃ）は、前記第一コンポジット信号をソースドライバーの第一受信装置に伝送するステップを含み、前記ステップ（ｄ）は、前記第二コンポジット信号をソースドライバーの第二受信装置に伝送するステップを含むことを特徴とする請求項９記載の信号伝送方法。
【請求項１２】
前記第一制御信号、前記第二制御信号、前記第一設定信号、前記第二設定信号及び前記クロック信号を生成するステップを更に含むことを特徴とする請求項９記載の信号伝送方法。
【請求項１３】
前記ステップ（ｅ）は、前記第一コンポジット信号を復号して対応する駆動信号を生成するステップを含み、前記ステップ（ｆ）は、前記第二コンポジット信号を復号して対応する駆動信号を生成するステップを含むことを特徴とする請求項９記載の信号伝送方法。
【請求項１４】
前記対応する駆動信号を表示パネルに出力するステップを更に含むことを特徴とする請求項１３記載の信号伝送方法。
【請求項１５】
前記ステップ（ａ）は、前記第一制御信号、前記第一設定信号及び前記クロック信号をプロトコルとして前記第一データ信号に埋め込むことにより前記第一コンポジット信号を生成するステップを含み、前記ステップ（ｂ）は、前記第二制御信号、前記第二設定信号及び前記クロック信号をプロトコルとして前記第二データ信号に埋め込むことにより前記第二コンポジット信号を生成するステップを含むことを特徴とする請求項９記載の信号伝送方法。
【請求項１６】
表示システムにおいて駆動信号を伝送する方法であって、
（ａ）少なくとも１つのデータ信号と、少なくとも１つの制御信号と、少なくとも１つのクロック信号と、少なくとも１つの設定信号とを少なくとも１つのコンポジット信号に変換し、
（ｂ）前記コンポジット信号を少なくとも１つの差動データラインの組を介して、タイミングコントローラーからソースドライバーに送信し、
（ｃ）前記コンポジット信号を受信して復号するステップを有することを特徴とする信号伝送方法。
【請求項１７】
前記ステップ（ａ）は、前記制御信号、前記設定信号、前記クロック信号を前記データ信号に埋め込み、前記コンポジット信号を生成するステップを含むことを特徴とする請求項１６記載の信号伝送方法。
【請求項１８】
前記ソースドライバーは、
２組の差動データラインから前記コンポジット信号を受信する少なくとも１個のレシーバーと、
前記コンポジット信号を復号する少なくとも１個のデコーダーとを含むことを特徴とする請求項１６記載の信号伝送方法。
【発明の詳細な説明】
【技術分野】
【０００１】
本発明は、表示システム及び関連するデータ伝送方法に関し、特に、データ信号、制御信号、クロック信号及び設定信号を埋め込み方式で伝送することが可能な表示システム及び関連するデータ伝送方法に関する。
【背景技術】
【０００２】
技術の飛躍的発展に伴い、フラットパネル表示器（ＦＰＤ）は、従来の陰極線管表示器（ＣＲＴ）に取って代わり、ノートパソコン、ＰＤＡ（パーソナルデジタルアシスタント）、フラットパネルテレビ、携帯電話などの様々な電気製品に幅広く利用されるようになっている。広く知られたフラットパネル表示器として、薄膜トランジスター（ＴＦＴ）型、低温ポリシリコン（ＬＴＰＳ）型、及び有機発光ダイオード（ＯＬＥＤ）型の液晶表示器などがある。従来の表示器の駆動システムには、タイミングコントローラー、ソースドライバー、ゲートドライバー、及び種々の信号を伝送する信号線（クロック信号線、データ信号線や制御信号線など）が含まれている。
【０００３】
図１及び図２を参照する。図１は、従来のＬ字型バス構成（L-configuration）の液晶表示器１０を表す説明図であり、図２は、従来のＴ字型バス構成（T-configuration）の液晶表示器２０を表す説明図である。液晶表示器１０、２０は、いずれも液晶パネル１２、タイミングコントローラー１４、複数のゲートドライバー１６、複数のソースドライバーＣＤ１−ＣＤｎ、及び複数の信号線を含む。タイミングコントローラー１４は、液晶パネル１２の表示画像に関するデータ信号ＤＡＴＡ１−ＤＡＴＡｍと、ソースドライバーＣＤ１−ＣＤｎのピン電位を設定する設定信号と、液晶パネル１２を駆動するクロック信号ＣＬＫ及び制御信号とを生成する。図１及び図２に示す設定信号は、ソースドライバーＣＤ１−ＣＤｎのデータ反転ピンを設定する信号ＤＡＴＡＰＯＬと、左シフトピンを設定する信号ＳＨＬと、右シフトピンを設定する信号ＳＨＲとを含む。あるいは、駆動システムのプルハイ抵抗及びプルロー抵抗を用いてソースドライバーＣＤ１−ＣＤｎのピンを設定することも可能である。図１及び図２に示す制御信号は、ラッチ制御信号ＬＤと、極性制御信号ＰＯＬと、スタートパルス信号ＳＰとを含み、そのうちスタートパルス信号ＳＰは、タイミングコントローラー１４からＴＴＬ（トランジスター−トランジスター論理回路）インターフェイス、ＣＭＯＳ（相補型金属酸化膜半導体）インターフェイス、またはその他互換性のあるインターフェイスの信号線を介してソースドライバーＣＤ１に送信され、更にソースドライバーＣＤ２−ＣＤｎに順次に送信される。一方、クロック信号ＣＬＫ、設定信号（信号ＤＡＴＡＰＯＬ、信号ＳＨＬ、信号ＳＨＲ）、その他の制御信号（ラッチ制御信号ＬＤ、極性制御信号ＰＯＬ）、及びデータ信号ＤＡＴＡ１−ＤＡＴＡｍは、タイミングコントローラー１４からＲＳＤＳ（小振幅差動信号方式）インターフェイスの対応する信号線を介し、ソースドライバーＣＤ１−ＣＤｎに送信される。中でも、設定信号（信号ＤＡＴＡＰＯＬ、信号ＳＨＬ、信号ＳＨＲなど）は、ハードワイヤー方式でソースドライバーＣＤ１−ＣＤｎのピンを設定することも可能である。また、制御信号（ラッチ制御信号ＬＤ、極性制御信号ＰＯＬなど）を、ＴＴＬインターフェイス、ＣＭＯＳインターフェイス、またはその他互換性のあるインターフェイスを介して送信することも可能である。
【０００４】
以上のとおり、従来の液晶表示器１０、２０では、データ信号、制御信号、設定信号及びクロック信号は、ＲＳＤＳインターフェイス、ＴＴＬインターフェイスまたはＣＭＯＳインターフェイスの対応する信号線を介して送信される。しかし、ＲＳＤＳ／ＴＴＬ／ＣＭＯＳインターフェイスによるバス型のデータ伝送は信号スキューが生じやすいので、セットアップ時間またはホールド時間など時間パラメーターの調整が困難である。そのため、高解像度表示器の高速動作を得るために、データ速度またはクロック速度を上げることができない。また、クロック信号及びデータ信号を異なる信号線を関して送信することは不可能である。大規模用途に対する需要の高まりに伴い、信号線を設けるプリント回路基板（ＰＣＢ）もパネルとともに大型化する。従って、タイミングコントローラーから異なるソースドライバーへの信号伝送の遅延もまた異なっており、信号スキューの解決と時間パラメーターの調整が一層困難となる。また、複数の信号を別個の信号線で送信すると、これらの信号線によりＰＣＢにおいて大きな面積が占められることとなる。高速動作での制御信号とクロック信号との間の同期は、従来の液晶表示器１０、２０では達成され得ない。また、ソースドライバーの正常な動作を確保するため、従来は設定信号でソースドライバーにおける個々のピン、例えば左シフトピン、右シフトピン、データ反転ピン、低電源モードピン、電荷共有モードピンなどを全部設定する。しかしそうすると、ソースドライバーのピン数は増え、ピンピッチが狭くなる。その結果、ボンディングプロセスの歩留まりが低下し、液晶表示器の製作コストが増加する。
【発明の開示】
【発明が解決しようとする課題】
【０００５】
本発明は、前述の問題を解決するため、ＥＤＤＳインターフェイスを介してデータ信号、制御信号、クロック信号及び設定信号を埋め込み方式で伝送することが可能な表示システム及び関連するデータ伝送方法を提供することを課題とする。
【課題を解決するための手段】
【０００６】
本発明は、ＥＤＤＳインターフェイスを介してデータ信号、制御信号、クロック信号及び設定信号を埋め込み方式で伝送することが可能な表示システムを提供する。該表示システムは、データ信号、制御信号、クロック信号及び設定信号を含む埋め込み信号を出力する出力装置と、第一設定信号、データ信号、制御信号及びクロック信号に基づいて動作し、且つ、第一埋め込み信号を復号して対応する駆動信号を生成する第一デコーダーを含む第一受信装置と、第二設定信号、データ信号、制御信号及びクロック信号に基づいて動作し、且つ、第二埋め込み信号を復号して対応する駆動信号を生成する第二デコーダーを含む第二受信装置と、ＥＤＤＳインターフェイスとを含む。そのうちＥＤＤＳインターフェイスは、出力装置から出力された第一埋め込み信号を第一受信装置に伝送する第一組の差動データラインと、出力装置から出力された第二埋め込み信号を第二受信装置に伝送する第二組の差動データラインとを含む。
【０００７】
本発明は、以下の表示システムも提供する。該表示システムは、マトリックス型に設けられた複数の走査ライン及び複数のデータラインを含む表示パネルと、表示パネルに結合され、複数の走査ラインを駆動する複数のゲートドライバーと、表示パネルに結合され、複数のデータラインを駆動する複数のソースドライバーと、少なくとも１つのデータ信号、少なくとも１つの制御信号、少なくとも１つのクロック信号及び少なくとも１つの設定信号をソースドライバーに提供するタイミングコントローラーとを含む。そのうちデータ信号、制御信号、クロック信号及び設定信号は、少なくとも１つのコンポジット信号に変換され、該コンポジット信号は、少なくとも１つの差動データラインの組を介してタイミングコントローラーからソースドライバーに送信される。
【０００８】
本発明は、更に、データ信号、制御信号、クロック信号及び設定信号を埋め込み方式で伝送する方法を提供する。該方法は、（ａ）第一制御信号、第一設定信号及びクロック信号を第一データ信号に埋め込むことにより第一コンポジット信号を生成し、（ｂ）第二制御信号、第二設定信号及びクロック信号を第二データ信号に埋め込むことにより第二コンポジット信号を生成し、（ｃ）第一コンポジット信号を第一受信装置に送信し、（ｄ）第二コンポジット信号を第二受信装置に送信し、（ｅ）第一コンポジット信号を復号し、（ｆ）第二コンポジット信号を復号するステップを有する。
【０００９】
本発明は、更に、表示システムにおいて駆動信号を伝送する方法を提供する。該方法は、（ａ）少なくとも１つのデータ信号と、少なくとも１つの制御信号と、少なくとも１つのクロック信号と、少なくとも１つの設定信号とを少なくとも１つのコンポジット信号に変換し、（ｂ）コンポジット信号を少なくとも１つの差動データラインの組を介して、タイミングコントローラーからソースドライバーに送信し、（ｃ）コンポジット信号を受信して復号するステップを有する。
【発明の効果】
【００１０】
本発明は、信号スキューを解決し、時間パラメーターの調整を容易にする。クロック信号をデータ信号に埋め込むことで、クロック信号とデータ信号との間の同期は、特に高速動作において、容易に合わせられる。また、制御信号のプロトコルをデータ信号に埋め込むことは、データ信号と制御信号との間の同期を改善し、それにより、プリント回路基板（ＰＣＢ）において、利用可能な回路空間が増大し、且つ、必要な層が節約され、結果として製造コストは低減される。また、設定信号をデータ信号に埋め込むことは、設定信号とデータ信号との間の同期を改善し、それにより、ピンピッチが広くなり、製造コスト全体が低減される。
【発明を実施するための最良の形態】
【００１１】
かかる装置及び方法の特徴を詳述するために、具体的な実施例を挙げ、図を参照にして以下に説明する。
【００１２】
図３を参照する。図３は、本発明による液晶表示器３０を表す説明図である。液晶表示器３０は、液晶パネル３２、タイミングコントローラー３４、複数のゲートドライバー３６、複数のソースドライバーＣＤ１−ＣＤｎ、及び複数の差動データラインペアを備えるＥＤＤＳ（embedded-in  all  data  lines  differential  signaling、データライン埋め込み信号方式）インターフェイス３８を含む。タイミングコントローラー３４は、液晶パネル３２の表示画像に関するデータ信号と、ソースドライバーＣＤ１−ＣＤｎのピン電位を設定する設定信号と、液晶パネル３２を駆動するクロック信号ＣＬＫと制御信号とを生成する。ＥＤＤＳインターフェイス３８は、差動及びポイント・ツー・ポイント方式で動作する。本実施例では、クロック信号、設定信号、制御信号及びデータ信号は、ＥＤＤＳインターフェイスの２つの差動データラインの組ＤＤＰ＋／−１、ＤＤＰ＋／−２を介してタイミングコントローラー３４から各ソースドライバーに埋め込み方式で送信される。ソースドライバーＣＤ１−ＣＤｎの夫々は、ＥＤＤＳインターフェイス３８の２つの対応する差動データラインの組ＤＤＰ＋／−１及びＤＤＰ＋／−２に結合されるレシーバー／デコーダー３５を含む。各レシーバー／デコーダー３５は、タイミングコントローラー３４からの埋め込み信号を復号して、対応するクロック信号、設定信号、制御信号及びデータ信号を生成し、これらを対応するソースドライバーに発信する。実際の動作では、たとえ各レシーバー／デコーダー３５が２つの対応する差動データラインの組ＤＤＰ＋／−１及びＤＤＰ＋／−２に結合されていたとしても、レシーバー／デコーダー３５は、独立型または集合型のハードウェアを用いて、２つの差動データラインの組から埋め込み信号を受信して処理することができる。すなわち、レシーバー／デコーダー３５は、２つの独立した回路、または１個の集合型回路のいずれかを介して、２つの差動データラインの組から埋め込み信号を受信して復号することができる。その場合に、各ソースドライバーは、復号データに基づいて駆動信号を液晶パネル３２に送信することができるので、本発明は、別途にクロック信号、設定信号及び制御信号を伝送する信号線を必要としない。
【００１３】
図４を参照する。図４は、本発明によるタイミングコントローラーとソースドライバー間のデータ伝送方法を表すフローチャートである。図に示す方法は下記のステップを含む。
【００１４】
ステップ４００：第一制御信号、第一設定信号及びクロック信号を第一データ信号に埋め込むことにより第一コンポジット信号を生成する。
【００１５】
ステップ４１０：第二制御信号、第二設定信号及びクロック信号を第二データ信号に埋め込むことにより第二コンポジット信号を生成する。
【００１６】
ステップ４２０：第一コンポジット信号をＥＤＤＳインターフェイスの第一組の差動データラインを介して、ソースドライバーに送信する。
【００１７】
ステップ４３０：第二コンポジット信号をＥＤＤＳインターフェイスの第二組の差動データラインを介して、ソースドライバーに送信する。
【００１８】
ステップ４４０：第一コンポジット信号を復号する。
【００１９】
ステップ４５０：第二コンポジット信号を復号する。
【００２０】
ステップ４６０：ステップ４４０及びステップ４５０において復号された信号に基づいて駆動信号を生成する。
【００２１】
ステップ４７０：駆動信号を表示パネルに出力する。
【００２２】
以上のとおり、レシーバー／デコーダー３５は、２つの独立した回路または１個の集合型回路のいずれかを介して、２つの差動データラインの組から埋め込み信号を受信して復号する。言い換えると、本発明は、制御信号及びクロック信号をデータ信号に埋め込んで、差動及びポイント・ツー・ポイント方式でＥＤＤＳインターフェイスの２つの差動データラインの組を介して伝送する。したがって、本発明の動作における信号反射及び信号スキューが改善され、セットアップ時間及びホールド時間などの時間パラメーターの調整が容易になる。また、設定信号もデータ信号に埋め込まれているので、ソースドライバーのピンピッチを大きく設定して、ボンディングプロセスの歩留まりを高くすることも可能である。したがって、本発明は、簡単かつ低コストのＥＤＤＳインターフェイスを提供し、表示器のデータ伝送効率を向上させる。
【００２３】
本発明で、クロック信号、設定信号及び制御信号のデータ信号への埋め込みは、複数の方法により実行可能である。例えば、クロック信号、設定信号及び制御信号をプロトコルとしてデータ信号に埋め込むことが可能である。このプロトコルに基づいて、ソースドライバーのデコーダーは、埋め込み信号を復号して、対応するクロック信号、設定信号及び制御信号を生成することができる。そのうち設定信号は、ソースドライバーのデータ反転ピンを設定する信号ＤＡＴＡＰＯＬと、左シフトピンを設定する信号ＳＨＬと、右シフトピンを設定する信号ＳＨＲと、その他のピンを設定する信号とを含み、制御信号はラッチ制御信号ＬＤ、極性制御信号ＰＯ、スタートパルス信号ＳＰ、またはソースドライバーを駆動するその他の信号を含む。
【００２４】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【産業上の利用可能性】
【００２５】
本発明は、従来の制御信号をデータ信号に埋め込むことを内容とする。かかる技術は当然実施可能である。
【図面の簡単な説明】
【００２６】
【図１】従来のＬ字型バス構成の液晶表示器を表す説明図である。
【図２】従来のＴ字型バス構成の液晶表示器を表す説明図である。
【図３】本発明による液晶表示器を表す説明図である。
【図４】本発明によるタイミングコントローラーとソースドライバーとの間のデータ伝送方法を表すフローチャートである。
【符号の説明】
【００２７】
１０、２０、３０                液晶表示器
１２、３２                      液晶パネル
１４、３４                      タイミングコントローラー
１６、３６                      ゲートドライバー
３５                            レシーバー／デコーダー
３８                            ＥＤＤＳインターフェイス
ＣＤ１−ＣＤｎ                    ソースドライバー
ＤＤＰ＋／−１、ＤＤＰ＋／−２  差動データラインペア
【図１】
2007193305.tif 000003
【図２】
2007193305.tif 000004
【図３】
2007193305.tif 000005
【図４】
2007193305.tif 000006